(57)【要約】      （修正有）【課題】構造が簡単で、容易に高さを調節することができ、且つ、通気性・クッション性のよい枕を提供する。【解決手段】傾き・高さ調節可能安眠枕であって、平板状基材１１と平板状基材の両側から起立する一対の起立部材１２ａとを備える基台と、曲面状枕部材２１と曲面状枕部材の両側から垂下して基台の起立部材と係合する一対の垂下部材２２ａとを備える枕体２と、枕体の高さ及び傾斜角度を調節する高さ・傾斜角度調節機構と、基台と枕体の間に保冷剤４１を収納するための収納室と、を有する。曲面状枕部材は、網目状樹脂曲面シートを備え、枕体の高さ及び傾斜角度の調節は、ビス穴３ａ１、３ｂ１と、ビス３ｅ１、３ｆ１により、垂下部材と起立部材の係止位置を変えることで行われる。【選択図】図１
0003226391.tif 000002
【実用新案登録請求の範囲】
【請求項１】
平板状基材と該平板状基材の両側から起立する一対の起立部材とを備える基台と、
曲面状枕部材と該曲面状枕部材の両側から垂下して前記一対の起立部材と係合する一対の垂下部材とを備える枕体と、
前記枕体の高さ及び傾斜角度を調節する高さ・傾斜角度調節機構と、
前記基台と前記枕体の間に設けられた収納室と、
を有し、
前記曲面状枕部材は、網目状樹脂曲面シートを備え、
前記高さ・傾斜角度調節機構は、前記枕体の高さ及び傾斜角度の調節を前記垂下部材を前記起立部材に係止する高さ及び位置を変えることで行われる傾き・高さ調節可能安眠枕。
【請求項２】
前記曲面状枕部材は、前記網目状樹脂曲面シートと該網目状樹脂曲面シートの上に配置される立体織編物を備える請求項１に記載の傾き・高さ調節可能安眠枕。
【請求項３】
前記曲面状枕部材は、熱可塑性樹脂モノフィラメント又は熱可塑性樹脂紡績糸で編まれ又は織られた面状の立体織編物素材を、曲がり部を有する三次元形状に加熱加工してなる請求項１に記載の傾き・高さ調節可能安眠枕。
【考案の詳細な説明】
【技術分野】
【０００１】
本考案は、通気性に優れ使用者の後頭部形状や好みに応じて、傾き・高さを容易に調節できる安眠枕に関する。
【背景技術】
【０００２】
従来から様々な素材、形状の枕が使用されており、枕には適度な柔軟性及び通気性を有することが望まれる。古くは、竹や籐を編んだものがあり、その後は、布製の袋内にクッション材、例えば蕎麦殻、ポリウレタン・フォーム、木材チップ、羽毛等を充填したものが多用されている。近年では、健康ブームにより、安眠、血行促進、肩こり緩和等の目的のため、種々の枕が提案され、また、実用化されている。
【０００３】
しかしながら、頭頂部から後頭部、首、肩甲上部にかけてのラインは、人によって異なるため、万人に最適な傾き・高さの枕を大量生産することが困難であり、オーダーメードも行われている。
【０００４】
そこで、以下のように傾き・高さを調節することができる枕が種々提案されている。
例えば、３つの異なる直径の円筒状袋内に、杉及び／又は松のチップと、麦殻とを充填したものを並列に並べ、布で被覆した安眠枕が開示されている（特許文献１参照。）。
【０００５】
また、２枚の布を重ね、平行な縫い目によって得られる複数の細長い袋部に棒状のクッション材を挿入した傾き・高さ調節自在枕が開示されている（特許文献２参照。）。この枕は、曲げ伸ばしが自在であるので、２つ折りにしたり、ロール状に巻いたりすることにより、傾き・高さを調節することができる。
【０００６】
また、高さが同じ緩衝チューブを左右に１つずつ載置すると共に、高さが異なる２つの緩衝チューブを前後に載置して適宜傾き・高さを得る枕が開示されている（特許文献３参照。）。
【０００７】
また、頭部を載せる略平坦な枕部と、上面が湾曲した頸部載置台とを備えた枕が開示されている（特許文献４参照。）。この頸部載置台は、弾力性部材で構成されており、さらに楔型の切欠きを有するので、使用者の睡眠中の姿勢に応じて上面の傾きを適宜変更することができる。
【０００８】
さらに、台座部と、枕部と、支持杆及び可動管で構成され台座部及び枕部を接続する傾斜脚部とを備え、この脚部の可動管の上下動によって枕部の高さを調節する枕が開示されている（特許文献５参照。）。
【０００９】
一端側に湾曲部を有し、他端側にこれと同幅の平坦部を有する弾性心材において、湾曲部の凹部側の縁部に調節帯が縫い付けられた枕が開示されている（特許文献６参照。）。湾曲部の凹部側の縁部間を架橋する長さ調節帯の長さを調節することにより、湾曲部の曲率が変更され、枕全体の高さを調節することができる。
【先行技術文献】
【特許文献】
【００１０】
【特許文献１】実開平７−１６１号公報
【特許文献２】実開平７―１８６３号公報
【特許文献３】実開平７−２２２６６３号公報
【特許文献４】特開平９−８４６７６号公報
【特許文献５】実用新案登録第３０２８６８２号公報
【特許文献６】実用新案登録第３０４９２２２号公報
【考案の概要】
【考案が解決しようとする課題】
【００１１】
特許文献１、３では、高さを変更する場合、直径が異なる筒状体又は緩衝チューブに交換するので、それらを予め製造しておく必要があるという問題がある。
また、特許文献２では、高さを自由に変更することができるが、複数の棒状クッションで頭部及び頸部を支えるので、部分的に枕と接し違和感を感じることがある。
【００１２】
特許文献４の枕は、構造が複雑であるので、製造コストが高くなるという難点がある。
また、特許文献５の枕は、重心が高く、布団等の柔らかいものに対する安定性に欠ける。
特許文献６の枕は、弾性心材の湾曲部の曲率を変更することで高さや傾きが調節されるので、高く調節する必要がある人の場合、頭頂部付近のみが枕で支持され、後頭部付近は支持されないことが生じ、安定性に欠ける。
さらに、いずれの特許文献の枕も通気性に劣り、頭部を温めてしまう。
【００１３】
本考案は、係る事情に鑑みてなされたものであり、構造が簡単で、容易に傾き・高さを調節することでき、且つ、通気性・クッション性のよい枕を提供することを課題とする。
【課題を解決するための手段】
【００１４】
上記の課題を解決するためになされた本考案に係る傾き・高さ調節可能安眠枕は、平板状基材と該平板状基材の両側から起立する一対の起立部材とを備える基台と、曲面状枕部材と該曲面状枕部材の両側から垂下して前記一対の起立部材と係合する一対の垂下部材とを備える枕体と、前記枕体の高さ及び傾斜角度を調節する高さ・傾斜角度調節機構と、前記基台と前記枕体の間に設けられた収納室と、を有し、前記曲面状枕部材は、網目状樹脂曲面シートを備え、前記高さ・傾斜角度調節機構は、前記枕体の高さ及び傾斜角度の調節を前記垂下部材を前記起立部材に係止する高さ及び位置を変えることで行われる。
【考案の効果】
【００１５】
曲面状枕部材が網目状樹脂曲面シートを備えているので通気性及びクッション性に優れている。傾き・高さ調節機構は、枕体の高さ及び傾斜角度の調節を前記垂下部材を前記起立部材に係止する高さ及び位置を変えることで行われるので、構造が簡単で安価である。基台と枕体の間に収納室を備えているので、収納室に保冷剤を収納することで頭寒足熱状態を維持できる。収納室に香剤を収納することで就寝中にアロマセラピーができ、認知症を抑制することができる。枕体が通気性を有するので難聴の人でも非常時に覚醒することができる。
【図面の簡単な説明】
【００１６】
【図１】実施形態１に係る枕の側方視図である。
【図２】実施形態１に係る枕の後方視図である。
【図３】実施形態１に係る枕部材の網目状樹脂曲面シートの平面視図である。
【図４】実施形態２に係る枕部材における立体織編物の平面視図である。
【図５】図４の円C１内の拡大平面模式図である。
【図６】図４の円C２内の拡大断面模式図である。
【図７】実施形態３に係る枕における枕部の断面模式図である。
【図８】実施形態３に係る枕における枕部を枕金型にセットした状態を示す断面模式図である。
【考案を実施するための形態】
【００１７】
本考案の実施形態を、図面を参照して説明する。
【００１８】
（実施形態１）本実施形態の傾き・高さ調節可能安眠枕は、図１、図２に示すように、平板状基材１１と、平板状基材１１の両側から起立する左右一対の起立部材１２a、１２ｂとを備える基台１と、曲面状枕部材２１と曲面状枕部材２１の両側から垂下して起立部材１２a、１２ｂと係合する左右一対の垂下部材２２a、２２ｂとを備える枕体２と、高さ・傾斜角度調節機構３（不図示）と、基台１と枕体２の間に設けられた収納室４とを備えている。本実施形態の傾き・高さ調節可能安眠枕は収納室４に保冷剤４１を収納している。
【００１９】
曲面状枕部材２１は、図３に示すような矩形網目状樹脂曲面シートである。本実施形態の曲面状枕部材２１は樹脂曲面シートであるが、竹、木材、金属等の曲面シートでもよい。また、本実施形態の曲面状枕部材２１の網目は、矩形網目であるが、円形、６角形、３角形網目でもよい。
【００２０】
基台１の左の起立部材１２aの前方には起立部材前部ビス穴３ａ１が、右の起立部材１２ｂの前方には起立部材前部ビス穴３ａ２が３個下から上に開口されている。左の起立部材１２aの後方には起立部材後部ビス穴３ｂ１が、右の起立部材１２ｂの後方には起立部材後部ビス穴３ｂ２（不図示）が、それぞれ２個上下に開口されている。また、枕体２の左の垂下部材２２aの前方には垂下部材前部ビス穴３ｃ１が、右の垂下部材２２ｂの前方には垂下部材前部ビス穴３ｃ２（不図示）が開口されている。枕体２の左の垂下部材２２aの後方には垂下部材後部ビス穴３ｄ１が、右の垂下部材２２ｂの後方には垂下部材後部ビス穴３ｄ２（不図示）が開口されている。
【００２１】
図１では、左垂下部材前部ビス穴３ｃ１と左起立部材の３つの起立部材前部ビス穴３a１のうちの上のビス穴には前部締結ビス３ｅ１が挿入され、ナット締めされている。同様に、右垂下部材前部ビス穴３ｃ２（不図示）と右起立部材の３つの起立部材前部ビス穴３ａ２のうちの最上のビス穴には前部締結ビス３ｅ２（不図示）が挿入され、ナット締めされている。また、左垂下部材後部ビス穴３ｄ１と左起立部材の２つの起立部材後部ビス穴３ｂ１のうちの上のビス穴には後部締結ビス３ｆ1が挿入され、ナット締めされている。同様に、右垂下部材後部ビス穴３ｄ２（不図示）と右起立部材の２つの起立部材後部ビス穴３ｄ２（不図示）のうちの上のビス穴には後部締結ビス３ｆ２（不図示）が挿入され、ナット締めされている。したがって、上下に配列する３つの起立部材前部ビス穴３ａ１、３ａ２の選択により枕体２の傾き・高さを調節することができることがわかる。よって、本実施形態の高さ・傾斜角度調節機構は、上下に配列する３つの起立部材前部ビス穴３ａ１、３ａ２、２つの起立部材後部ビス穴３ｂ１、３ｂ２（不図示）、垂下部材前部ビス穴３ｃ１、３ｃ２（不図示）と、前部締結ビス３ｅ１、３ｅ２（不図示）及びナット３ｈ１、３ｈ２等よりなる。
【００２２】
本実施形態の傾き・高さ調節可能安眠枕は曲面状枕部材２１が矩形網目状樹脂曲面シートであるので通気性・クッション性に優れ、難聴の人でも非常時に覚醒することができる。また、保冷剤を有するので頭寒足熱状態を維持できる。
【００２３】
（実施形態２）本実施形態の傾き・高さ調節可能安眠枕は、実施形態１における曲面状枕部材２１を矩形網目状樹脂曲面シートの上に立体織編物を積層したものにした以外は実施形態１と同じである。
【００２４】
本実施形態の立体織編物は、図４〜６に示すような網目状立体編物である。網目状立体編物は、マルチフィラメントまたは紡績糸５４Ａで編んだ二つのＶ字辺５１Ａａと二つの平行辺５１Ａｂからなる６角形状網目が規則的に連なるシート状網５１Ａと、マルチフィラメントまたは紡績糸５４Ａで編んだ二つのＶ字辺５２Ａａと二つの平行辺５２Ａｂからなる６角形状網目が規則的に連なるシート状網５２Ａとを上下に配置し、前記２枚のシート状網５１Ａ、５２Ａの間を剛性を有する複数のモノフィラメント５３Ａで連結したものである。モノフィラメント５３Ａは、シート状網５１ＡのＶ字辺５１Ａａ及び平行辺５１Ａｂと、シート状網５２ＡのＶ字辺５２Ａａ及び平行辺５２Ａｂと絡まって対向する各辺間を連結するので、各辺５１Ａａ、５１Ａｂ、５２Ａａ、５２Ａｂも剛性を有する。したがって、力が加われば、網目が変形するが、力が取り去られると元の矩形状網目に戻る特性を持つ。
【００２５】
上記特性の立体織編物として、本実施形態では、ユニチカのキュービックアイ（登録商標）を使用した。
【００２６】
本実施形態の傾き・高さ調節可能安眠枕は、実施形態１における曲面状枕部材２１を矩形網目状樹脂曲面シートの上に立体織編物を積層したものにしたので、通気性を損なうことなくクッション性を更に向上することができる。
【００２７】
（実施形態３）本実施形態の傾き・高さ調節可能安眠枕は、実施形態１における曲面状枕部材２１を、平面状樹脂製立体編物を図７のような枕形状に加工成型したものにしたものであり、それ以外は、実施形態１と同じである。すなわち、実施形態１における曲面状枕部材２１は、頸部に当接する領域は高い山で、頭部に当接する領域は頸部に当接する領域より低い台形状であるが、本実施形態の枕部材は、図７に示すように、一つの山からなる。
【００２８】
本実施形態の曲面状枕部材６０は、熱可塑性樹脂紡績糸で織られた厚み方向に離間配置される２枚のシート状網６１Ａ、６２Ａと、シート状網６１Ａ、６２Ａの間に介挿されてシート状網６１Ａ、６２Ａを連結する熱可塑性モノフィラメント６３Ａを複数備え、シート状網６２Ａの一部または全部が溶融固化してなる。シート状網６２Ａの一部または全部が溶融固化してなるので曲面状枕部材６０の形状が保持される。なお、曲面状枕部材６０の剛性だけでは不足する場合は、好みによって実施形態１のような網目状樹脂曲面シートを備えるようにするとよい。
【００２９】
シート状網６１Ａとシート状網６１Ａ、６２Ａを連結する複数の熱可塑性モノフィラメント６３Ａは溶融固化していないので、厚み方向にクッション性を有し、頭にやさしい仕様になっている。
【００３０】
ここで、本実施形態の曲面状枕部材６０の加工方法を説明する。まず、図７の曲面状枕部材６０の展開図に相当する大きさと形状に裁断した立体織編物素材６を用意する。本実施形態の２枚のシート状網６１Ａ、６２Ａを構成する熱可塑性樹脂紡績糸は、複数のポリエステルフィラメント（融点２５５℃）の撚糸であり、熱可塑性樹脂モノフィラメント６３Ａは、ナイロンフィラメント（融点２２５℃）である。次に、立体織編物素材６を金属製凹型７に固定する（図８参照）。次に、内気温度２６０℃のオーブンに所定時間（例えば、２０秒）入れて取り出すことで、図７に示す曲面状枕部材６０とすることができる。
【００３１】
上記のような加工方法で加工すると、凹型７に接しない下方のシート状網６２Ａは溶融固化して剛性を有するようになる。凹型７に接する上方のシート状網６１Ａは凹型７の熱容量のため溶融しないので、伸縮性・クッション性を保持したままである。上方のシート状網６１Ａと下方のシート状網６２Ａを連結する複数のモノフィラメント６３Ａは溶融し、近接或いは接するフィラメントが溶着して固まり、厚さ方向の伸縮性が減少し剛性が増す。したがって、実施形態２のような矩形網目状樹脂曲面体を省くことができる。
【００３２】
上述した実施形態は、本発明の技術思想の一実施形態に過ぎず、当業者にとっては、本発明の技術思想内において他の変形された実施が可能であることは言うまでもない。
【符号の説明】
【００３３】
１・・・・・・・・・・基台
１１・・・・・・・・平板状基材
１２ａ、１２ｂ・・・起立部材
２・・・・・・・・・・枕体
２１・・・・・・・・曲面状枕部材
２２ａ、２２ｂ・・・垂下部材
３・・・・・・・・・・高さ・傾斜角度調節機構
３ａ１、３ａ２・・・起立部材前部ビス穴
３ｂ１、３ｂ２・・・起立部材後部ビス穴
３ｃ１、３ｃ２・・・垂下部材前部ビス穴
３ｄ１、３ｄ２・・・垂下部材後部ビス穴
３ｅ１、３ｅ２・・・前部締結ビス
３ｆ１、３ｆ２・・・後部締結ビス
４・・・・・・・・・・収納室
【図１】
0003226391.tif 000003
【図２】
0003226391.tif 000004
【図３】
0003226391.tif 000005
【図４】
0003226391.tif 000006
【図５】
0003226391.tif 000007
【図６】
0003226391.tif 000008
【図７】
0003226391.tif 000009
【図８】
0003226391.tif 000010